(57)【要約】【課題】  ＭＩＤＩ信号でＬＥＤ点灯を制御し、ＬＥＤ集合画面の点灯やＬＥＤアクセサリとして音楽演奏の演出などに貢献することにある。【解決手段】  ＭＩＤＩ信号入力端子１５から入力されるＭＩＤＩ信号を、ＬＥＤ集合画面１３の点灯を制御する点灯信号へと変換する電気回路、ソフトウェアを有するコンバータ１６を内蔵したＭＩＤＩによるＬＥＤ点灯制御装置であって、外面にＬＥＤ集合画面１３を取り付けられることを特徴とする。【選択図】  図４
0003112698.tif 000002
【実用新案登録請求の範囲】
【請求項１】
ＭＩＤＩ信号によりＬＥＤ集合画面で文字や絵、アニメーション等を表示させるコンバータを有すると共に、前記コンバータで点灯を制御するＬＥＤ集合画面を有することを特徴とする、ＭＩＤＩによるＬＥＤ点灯制御装置。
【考案の詳細な説明】
【技術分野】
【０００１】  本考案は、ＭＩＤＩ信号を使用する電子楽器やコンピュータ等と、ＬＥＤ（発光ダイオード）に関する。
【背景技術】
【０００２】  従来、ＪＩＳ規格に準ずるＭＩＤＩ（電子楽器ディジタルインタフェース）は、電子楽器における音楽演奏情報を交換するための規格である。【０００３】  ＭＩＤＩの機能は、ＭＩＤＩ信号を発するＭＩＤＩコントローラやコンピュータ等から、ＭＩＤＩ信号を受信する電子楽器、音響装置、コンピュータ等を制御することであり、ライブ演奏や音楽録音、ビデオ制作など、マルチメディア分野に利用されている。【０００４】  ＬＥＤを点灯させる制御方法は、単に通電させる以外に、点灯制御プログラムを使用することにより複雑な点灯パターンを制御することができ、複数のＬＥＤを使用した場合には点灯により文字や絵、アニメーションを表現することができる。【０００５】  ＬＥＤは自ら強く発光することができるため、点灯による表現が遠方からも視認しやすく、電光掲示板など、様々な情報発信機器として利用されている。【０００６】  なお、本願考案に関連する公知技術として次の非特許文献１を挙げることができる。【０００７】
【非特許文献１】  「財団法人  日本規格協会  規格番号    ＪＩＳ  Ｘ  ６０５４−１：１９９９」電子楽器ディジタルインタフェース（ＭＩＤＩ）
【考案の開示】
【考案が解決しようとする課題】
【０００８】  音楽家がライブ演奏を行う時、演奏者が瞬時に文字情報やアニメーションを観客に発したり、演奏者同士で文字情報を交換するにはコンピュータソフトウェアを使用した装置が必要になり、コンピュータと接続されるモニタ画面では光量が少なく、とりわけ遠方からは視認性に乏しい表現となる。【０００９】  遠方からも視認性の良いＬＥＤ点灯を制御し、音楽と合わせた文字や絵、アニメーションとして表現するには、点灯制御プログラムに関する技術が必要であり、電気工学知識を持たない者にとって実現が難しい。【００１０】  本考案は、このような点に鑑みて成されたものであり、その目的は、音楽家が電子楽器において使用するＭＩＤＩ信号でＬＥＤ点灯を制御することにより、ＬＥＤ集合画面の点灯や演奏者に装着するＬＥＤアクセサリとして音楽演奏の演出に貢献することにある。
【課題を解決するための手段】
【００１１】  上述の目的を達成する本考案のＭＩＤＩによるＬＥＤ点灯制御装置は、ＭＩＤＩ信号によりＬＥＤ集合画面で文字や絵、アニメーション等を表示させるコンバータを有すると共に、前記コンバータで点灯を制御するＬＥＤ集合画面を有することを特徴とする。
【考案の効果】
【００１２】  以上説明したように本考案によれば、ＭＩＤＩを使用した音楽演奏時に、演奏者が音楽のテンポと同期したアニメーションや、文字情報を瞬時に観客へ発したり、演奏者同士で譜面や文字情報を交換、共有するすることが可能となる。
ＬＥＤを使用するため、暗い演奏会場に於いても視認性が良く、観客に対する華やかな演出を得るのにも極めて有効である。
【考案を実施するための最良の形態】
【００１３】  以下、本考案の実施の形態を図面に基づき詳細に説明する。【００１４】  図１〜図４は本考案の第１の形態に係り、図１はその外観前面斜視図、図２はその外観後面斜視図、図３はその平面図、図４はＭＩＤＩ信号受信からＬＥＤ集合画面点灯に至るまでのフローチャートである。【００１５】  図１〜図３に示すように、本ＭＩＤＩによるＬＥＤ点灯制御装置１１は、鉄もしくはプラスチック等を素材とする箱型構造体１２の外面にＬＥＤを整列させたＬＥＤ集合画面１３を取り付け、ＭＩＤＩ信号を受信しＬＥＤ集合画面１３の点灯を制御するコンバータ１６を箱型構造体１２に内蔵したものである。【００１６】  図２、図３に示すように、箱型構造体１２の後面には家庭用電源入力端子１４、ＭＩＤＩ信号入力端子１５が設けられており、箱型構造体１２に内蔵されるコンバータ１６へ接続される。【００１７】  図４に示すように、ＭＩＤＩ信号入力端子１５は、ＭＩＤＩ規格に準ずるＭＩＤＩケーブルを接続するための端子であり、端子の形状はＭＩＤＩ規格に準ずる。
ＭＩＤＩ信号入力端子１５に、ＭＩＤＩ信号を発するＭＩＤＩコントローラやコンピュータ等をＭＩＤＩケーブルで接続し、ＭＩＤＩ信号を受信する。【００１８】  図４に示すように、コンバータ１６は、家庭用電源入力端子１４より家庭用電源を入力し、ＭＩＤＩ信号入力端子１５から入力されるＭＩＤＩ信号を、ＬＥＤ集合画面１３の点灯を制御する点灯信号へと変換する電気回路、ソフトウェアを有する。【００１９】  コンバータ１６が有するソフトウェアとは、ＭＩＤＩ信号入力端子１５から入力されるＭＩＤＩ信号、すなわち音楽情報（音の高さ、大きさ、長さ、音色効果など）により、ＬＥＤ集合画面１３を点灯させ文字や絵、アニメーションを制御する機能を有するブログラムである。
【実施例１】
【００２０】  箱型構造体１２は例えば、Ｗ４３０ｍｍ×Ｈ３００ｍｍ×Ｄ５０ｍｍの寸法を有する直方体形状をしており、業務用１９インチラック（規格番号  ＪＩＳ  Ｃ  ６０１０−１：１９９８）などに取り付ける際に好適なサイズとして標準化する。このことにより設計、設置が容易になる。【００２１】  ＬＥＤ集合画面１３におけるＬＥＤ配置方法は例えば、縦１６個×横１２８個を同一平面上に整列させた、計２，０４８個の長方形スクリーンとする。このことにより、ＭＩＤＩケーブル１本当たりが同時に扱える音符情報の最大２，０４８音符（１チャンネル当たり１２８ｎｏｔｅ×１６チャンネル）とＬＥＤが一対ごとに組み合わされ、文字や絵、アニメーションを作成する手助けとなる。【００２２】  以上、本考案の実施の形態及び実施例を説明したが、本考案の範囲はこれに限定されるものではない。例えば、箱形構造体の大きさや素材は、本ＭＩＤＩによるＬＥＤ点灯制御装置を使用する用途に応じて、箱形に限定せず任意に選定されるものである。【００２３】  また、ＬＥＤ集合画面におけるＬＥＤ配置方法は実施例で説明した配置方法だけに限られるものではなく、配置するＬＥＤの数やＬＥＤの配置形状は任意に選定することができる。また、ＬＥＤの大きさ、発光色、明るさについても任意に選定することができる。【００２４】  コンバータに供給する電源は家庭用電源に限らず、乾電池や充電池を用いることも可能である。【００２５】  コンバータの設置場所は箱型構造体の内部に限定されず、外部に取り外して使用することもできる。ＬＥＤ集合画面が独立軽量化することにより、設置可能範囲、携帯性の向上に有効である。
【産業上の利用可能性】
【００２６】  本考案は電子楽器を製造、販売する産業分野で利用することができる。
【図面の簡単な説明】
【００２７】
【図１】  本考案の第１の実施の形態に係るＭＩＤＩによるＬＥＤ点灯制御装置の外観前面斜視図である。
【図２】  図１のＭＩＤＩによるＬＥＤ点灯制御装置の外観後面斜視図である。
【図３】  図１のＭＩＤＩによるＬＥＤ点灯制御装置の平面図である。
【図４】  図１のＭＩＤＩによるＬＥＤ点灯制御装置の、ＭＩＤＩ信号受信からＬＥＤ集合画面点灯に至るまでのフローチャートである。
【符号の説明】
【００２８】  １１          ＭＩＤＩによるＬＥＤ点灯制御装置
１２          箱型構造体
１３          ＬＥＤ集合画面
１４          家庭用電源入力端子
１５          ＭＩＤＩ信号入力端子
１６          コンバータ
【図１】
0003112698.tif 000003
【図２】
0003112698.tif 000004
【図３】
0003112698.tif 000005
【図４】
0003112698.tif 000006